【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、１ゲームの結果として前記複数の可変表示領域のそれぞれに導出された前記表示結果の組み合わせに応じて入賞が発生可能とされたスロットマシンであって、
前記複数の可変表示領域に表示結果を導出させる際にそれぞれ操作される導出操作手段と、
前記可変表示領域に表示結果が導出される前に入賞の発生を許容するか否かを決定する事前決定手段と、
前記導出操作手段が操作されたときに、前記事前決定手段の決定結果に応じて該導出操作手段に対応する可変表示領域に表示結果を導出させる制御を行う導出制御手段と、
を備え、
前記複数の可変表示領域に導出される表示結果の組み合わせは、前記複数の可変表示領域のうち第１の可変表示領域の表示結果が特定表示結果以外の表示結果でありかつ第２の可変表示領域の表示結果が特殊表示結果以外の表示結果である第１の組み合わせと、前記複数の可変表示領域のうち前記第１の可変表示領域の表示結果が前記特定表示結果であるかまたは前記第２の可変表示領域の表示結果が前記特殊表示結果であるかの一方を満たす組み合わせであり、前記第１の組み合わせよりも遊技者にとって有利な状況である可能性が高い旨が示唆される第２の組み合わせと、を含み、
前記導出制御手段は、
前記事前決定手段の決定結果が前記第１の組み合わせ及び前記第２の組み合わせのうち前記第１の組み合わせのみ導出することが許容される第１の特定結果であり、前記複数の可変表示領域のうち前記第１の可変表示領域及び前記第２の可変表示領域に未だ表示結果が導出されていない状況において前記第１の可変表示領域に対応する導出操作手段が操作されたときに、該導出操作手段が操作されたタイミングに関わらず、前記第１の可変表示領域に前記特定表示結果以外の表示結果を導出させる制御を行い、前記事前決定手段の決定結果が前記第１の特定結果であり、前記複数の可変表示領域のうち前記第１の可変表示領域に前記特定表示結果以外の表示結果が導出され前記第２の可変表示領域に未だ表示結果が導出されていない状況において前記第２の可変表示領域に対応する導出操作手段が操作されたときに、該導出操作手段が操作されたタイミングに関わらず、前記第２の可変表示領域に前記特殊表示結果以外の表示結果を導出させる制御を行う第１の特定結果導出制御手段と、
前記事前決定手段の決定結果が前記第１の組み合わせ及び前記第２の組み合わせのうち少なくとも前記第２の組み合わせを導出することが許容される第２の特定結果であり、前記複数の可変表示領域のうち前記第１の可変表示領域及び前記第２の可変表示領域に未だ表示結果が導出されていない状況において前記第１の可変表示領域に対応する導出操作手段が操作されたときに、該導出操作手段が操作されたタイミングが特定のタイミングであるときには前記第１の可変表示領域に前記特定表示結果を導出させる制御を行い、該導出操作手段が操作されたタイミングが前記特定のタイミング以外のタイミングであるときには前記第１の可変表示領域に前記特定表示結果以外の表示結果を導出させる制御を行い、前記事前決定手段の決定結果が前記第２の特定結果であり、前記複数の可変表示領域のうち前記第１の可変表示領域に前記特定表示結果以外の表示結果が導出され前記第２の可変表示領域に未だ表示結果が導出されていない状況において前記第２の可変表示領域に対応する導出操作手段が操作されたときに、前記第２の可変表示領域に前記特殊表示結果を導出可能な制御を行う第２の特定結果導出制御手段と、
を含む
ことを特徴とするスロットマシン。
【請求項２】
各々が識別可能な複数種類の識別情報を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、１ゲームの結果として前記複数の可変表示領域のそれぞれに導出された前記表示結果の組み合わせに応じて入賞が発生可能とされたスロットマシンであって、
前記複数の可変表示領域に表示結果を導出させる際にそれぞれ操作される導出操作手段と、
前記可変表示領域に表示結果が導出される前に入賞の発生を許容するか否かを決定する事前決定手段と、
前記導出操作手段が操作されたときに、前記事前決定手段の決定結果に応じて該導出操作手段に対応する可変表示領域に表示結果を導出させる制御を行う導出制御手段と、
を備え、
前記複数の可変表示領域に導出される表示結果の組み合わせは、前記複数の可変表示領域のうち第１の可変表示領域の表示結果が特定表示結果以外の表示結果でありかつ第２の可変表示領域の表示結果が特殊表示結果以外の表示結果でありかつ第３の可変表示領域が所定表示結果である第１の組み合わせと、前記複数の可変表示領域のうち前記第１の可変表示領域の表示結果が前記特定表示結果であるかまたは前記第２の可変表示領域の表示結果が前記特殊表示結果であるかの一方でありかつ第３の可変表示領域が前記所定表示結果である組み合わせであり、前記第１の組み合わせよりも遊技者にとって有利な状況である可能性が高い旨が示唆される第２の組み合わせと、を含み、
前記導出制御手段は、
前記事前決定手段の決定結果が前記第１の組み合わせ及び前記第２の組み合わせのうち前記第１の組み合わせのみ導出することが許容される第１の特定結果であり、前記複数の可変表示領域のうち前記第１の可変表示領域及び前記第２の可変表示領域に未だ表示結果が導出されておらず、前記複数の可変表示領域のうち第３の可変表示領域に前記所定表示結果が導出されている状況において前記第１の可変表示領域に対応する導出操作手段が操作されたときに、前記第３の可変表示領域に前記所定表示結果を導出させる際に該第３の可変表示領域に対応する導出操作手段が操作されたタイミングに関わらず、前記第１の可変表示領域に前記特定表示結果以外の表示結果を導出させる制御を行い、前記事前決定手段の決定結果が前記第１の特定結果であり、前記複数の可変表示領域のうち前記第３の可変表示領域に前記所定表示結果が導出され前記第１の可変表示領域に前記特定表示結果以外の表示結果が導出され前記第２の可変表示領域に未だ表示結果が導出されていない状況において前記第２の可変表示領域に対応する導出操作手段が操作されたときに、該導出操作手段が操作されたタイミングに関わらず、前記第２の可変表示領域に前記特殊表示結果以外の表示結果を導出させる制御を行う第１の特定結果導出制御手段と、
前記事前決定手段の決定結果が前記第１の組み合わせ及び前記第２の組み合わせのうち少なくとも前記第２の組み合わせを導出することが許容される第２の特定結果であり、前記複数の可変表示領域のうち前記第１の可変表示領域及び前記第２の可変表示領域に未だ表示結果が導出されておらず、前記複数の可変表示領域のうち前記第３の可変表示領域に前記所定表示結果が導出されている状況において前記第１の可変表示領域に対応する導出操作手段が操作されたときに、前記第３の可変表示領域に前記所定表示結果を導出させる際に該第３の可変表示領域に対応する導出操作手段が操作されたタイミングが特定のタイミングであるときには前記第１の可変表示領域に前記特定表示結果を導出させる制御を行い、前記第３の可変表示領域に前記所定表示結果を導出させる際に該第３の可変表示領域に対応する導出操作手段が操作されたタイミングが前記特定のタイミング以外のタイミングであるときには前記第１の可変表示領域に前記特定表示結果以外の表示結果を導出させる制御を行い、前記事前決定手段の決定結果が前記第２の特定結果であり、前記複数の可変表示領域のうち前記第３の可変表示領域に前記所定表示結果が導出され前記第１の可変表示領域に前記特定表示結果以外の表示結果が導出され前記第２の可変表示領域に未だ表示結果が導出されていない状況において前記第２の可変表示領域に対応する導出操作手段が操作されたときに、前記第２の可変表示領域に前記特殊表示結果を導出可能な制御を行う第２の特定結果導出制御手段と、
を含む
ことを特徴とするスロットマシン。
【手続補正２】
【補正対象書類名】明細書
【補正対象項目名】０００７
【補正方法】変更
【補正の内容】
【０００７】
上記課題を解決するために、本発明の請求項１に記載のスロットマシンは、
各々が識別可能な複数種類の識別情報（図柄）を変動表示可能な複数の可変表示領域（リール２Ｌ、２Ｃ、２Ｒ）のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、１ゲームの結果として前記複数の可変表示領域（リール２Ｌ、２Ｃ、２Ｒ）のそれぞれに導出された前記表示結果の組み合わせに応じて入賞が発生可能とされたスロットマシン（スロットマシン１）であって、
前記複数の可変表示領域（リール２Ｌ、２Ｃ、２Ｒ）に表示結果を導出させる際に操作されるそれぞれの導出操作手段（ストップスイッチ８Ｌ、８Ｃ、８Ｒ）と、
前記可変表示領域に表示結果が導出される前（ゲーム開始時）に入賞の発生を許容するか否かを決定する事前決定手段（内部抽選）と、
前記導出操作手段（ストップスイッチ８Ｌ、８Ｃ、８Ｒ）が操作されたときに、前記事前決定手（内部抽選）段の決定結果に応じて該導出操作手（ストップスイッチ８Ｌ、８Ｃ、８Ｒ）段に対応する可変表示領域（リール２Ｌ、２Ｃ、２Ｒ域に表示結果を導出させる制御を行う導出制御手段（リールの停止制御）と、
を備え、
前記複数の可変表示領域（リール２Ｌ、２Ｃ、２Ｒ（左リール、中リール、右リール））に導出される表示結果の組み合わせは、前記複数の可変表示領域のうち第１の可変表示領域（中リール）の表示結果が特定表示結果（中段に「ＢＡＲ」が停止する停止態様）以外の表示結果でありかつ第２の可変表示領域（右リール）の表示結果が特殊表示結果（中段に「ＢＡＲ」が停止する停止態様）以外の表示結果である第１の組み合わせ（弱チェリー目）と、前記複数の可変表示領域のうち前記第１の可変表示領域（中リール）の表示結果が前記特定表示結果（中段に「ＢＡＲ」が停止する停止態様）であるかまたは前記第２の可変表示領域（右リール）の表示結果が前記特殊表示結果（中段に「ＢＡＲ」が停止する停止態様）であるかの一方を満たす組み合わせであり、前記第１の組み合わせ（弱チェリー目）よりも遊技者にとって有利な状況（特別役が当選している状況、ナビストックが当選している状況、ＡＲＴのゲーム数の上乗せが当選している状況等）である可能性が高い旨が示唆される第２の組み合わせ（強チェリー目）と、を含み、
前記導出制御手段は、
前記事前決定手段の決定結果が前記第１の組み合わせ（弱チェリー目）及び前記第２の組み合わせ（強チェリー目）のうち前記第１の組み合わせ（弱チェリー目）のみ導出することが許容される第１の特定結果（弱チェリー）であり、前記複数の可変表示領域のうち前記第１の可変表示領域（中リール）及び前記第２の可変表示領域（右リール）に未だ表示結果が導出されていない状況において前記第１の可変表示領域（中リール）に対応する導出操作手段（ストップスイッチ８Ｃ）が操作されたときに、該導出操作手段（ストップスイッチ８Ｃ）が操作されたタイミングに関わらず、前記第１の可変表示領域（中リール）に前記特定表示結果（中段に「ＢＡＲ」が停止する停止態様）以外の表示結果を導出させる制御を行い、前記事前決定手段の決定結果が前記第１の特定結果（弱チェリー）であり、前記複数の可変表示領域のうち前記第１の可変表示領域（中リール）に前記特定表示結果（中段に「ＢＡＲ」が停止する停止態様）以外の表示結果が導出され前記第２の可変表示領域（右リール）に未だ表示結果が導出されていない状況において前記第２の可変表示領域（右リール）に対応する導出操作手段（ストップスイッチ８Ｒ）が操作されたときに、該導出操作手段（ストップスイッチ８Ｒ）が操作されたタイミングに関わらず、前記第２の可変表示領域（右リール）に前記特殊表示結果（中段に「ＢＡＲ」が停止する停止態様）以外の表示結果を導出させる制御を行う第１の特定結果導出制御手段（弱チェリー当選時のリール停止制御）と、
前記事前決定手段の決定結果が前記第１の組み合わせ（弱チェリー目）及び前記第２の組み合わせ（強チェリー目）のうち少なくとも前記第２の組み合わせ（強チェリー目）を導出することが許容される第２の特定結果（強チェリー）であり、前記複数の可変表示領域のうち前記第１の可変表示領域（中リール）及び前記第２の可変表示領域（右リール）に未だ表示結果が導出されていない状況において前記第１の可変表示領域（中リール）に対応する導出操作手段（ストップスイッチ８Ｃ）が操作されたときに、該導出操作手段（ストップスイッチ８Ｃ）が操作されたタイミングが特定のタイミング（１１番または１５番）であるときには前記第１の可変表示領域（中リール）に前記特定表示結果（中段に「ＢＡＲ」が停止する停止態様）を導出させる制御を行い、該導出操作手段（ストップスイッチ８Ｃ）が操作されたタイミングが前記特定のタイミング（１１番または１５番）以外のタイミングであるときには前記第１の可変表示領域（中リール）に前記特定表示結果（中段に「ＢＡＲ」が停止する停止態様）以外の表示結果を導出させる制御を行い、前記事前決定手段の決定結果が前記第２の特定結果（強チェリー）であり、前記複数の可変表示領域のうち前記第１の可変表示領域（中リール）に前記特定表示結果（中段に「ＢＡＲ」が停止する停止態様）以外の表示結果が導出され前記第２の可変表示領域（右リール）に未だ表示結果が導出されていない状況において前記第２の可変表示領域（右リール）に対応する導出操作手段（ストップスイッチ８Ｒ）が操作されたときに、前記第２の可変表示領域（右リール）に前記特殊表示結果（中段に「ＢＡＲ」が停止する停止態様）を導出可能な制御を行う第２の特定結果導出制御手段（強チェリー当選時のリール停止制御）と、
を含む
ことを特徴としている。
この特徴によれば、複数の可変表示領域のうち第１の可変表示領域及び第２の可変表示領域に未だ表示結果が導出されていない状況において第１の可変表示領域に対応する導出操作手段が操作され、第１の可変表示領域に特定表示結果が導出されることで第２の組み合わせとなり、第１の組み合わせよりも遊技者にとって有利な状況である可能性が高い旨が示唆される。また、複数の可変表示領域のうち第１の可変表示領域及び第２の可変表示領域に未だ表示結果が導出されていない状況において第１の可変表示領域に対応する導出操作手段が操作され、第１の可変表示領域に特定表示結果が導出されなかった場合でも、その後、第２の可変表示領域に特殊表示結果が導出されることで第２の組み合わせとなり、第１の組み合わせよりも遊技者にとって有利な状況である可能性が高い旨が示唆されるので、第１の可変表示領域に特定表示結果が導出されなかった場合でも、その後、第２の可変表示領域に表示結果が導出されるまで、第２の組み合わせとなることへの期待感を持続させることができる。
尚、複数の可変表示領域は少なくとも第１の可変表示領域及び第２の可変表示領域を含む構成であれば良く、第１の可変表示領域及び第２の可変表示領域のみからなる構成でも良いし、第１の可変表示領域及び第２の可変表示領域以外の可変表示領域を含む構成でも良い。
また、第２の特定結果導出制御手段が、前記第２の可変表示領域に前記特殊表示結果を導出可能な制御を行うとは、該第２の可変表示領域に対応する導出操作手段が操作されたタイミングに関わらず前記特殊表示結果を導出させる制御を行う構成でも良いし、該第２の可変表示領域に対応する導出操作手段が操作されたタイミングが所定条件を満たすタイミングで操作されたときに前記特殊表示結果を導出させる制御を行う構成でも良い。
【手続補正３】
【補正対象書類名】明細書
【補正対象項目名】０００９
【補正方法】変更
【補正の内容】
【０００９】
本発明の請求項２に記載のスロットマシンは、
各々が識別可能な複数種類の識別情報（図柄）を変動表示可能な複数の可変表示領域（リール２Ｌ、２Ｃ、２Ｒ）のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、１ゲームの結果として前記複数の可変表示領域（リール２Ｌ、２Ｃ、２Ｒ）のそれぞれに導出された前記表示結果の組み合わせに応じて入賞が発生可能とされたスロットマシン（スロットマシン１）であって、
前記複数の可変表示領域（リール２Ｌ、２Ｃ、２Ｒ）に表示結果を導出させる際に操作されるそれぞれの導出操作手段（ストップスイッチ８Ｌ、８Ｃ、８Ｒ）と、
前記可変表示領域に表示結果が導出される前（ゲーム開始時）に入賞の発生を許容するか否かを決定する事前決定手段（内部抽選）と、
前記導出操作手段（ストップスイッチ８Ｌ、８Ｃ、８Ｒ）が操作されたときに、前記事前決定手（内部抽選）段の決定結果に応じて該導出操作手（ストップスイッチ８Ｌ、８Ｃ、８Ｒ）段に対応する可変表示領域（リール２Ｌ、２Ｃ、２Ｒ域に表示結果を導出させる制御を行う導出制御手段（リールの停止制御）と、
を備え、
前記複数の可変表示領域（リール２Ｌ、２Ｃ、２Ｒ（左リール、中リール、右リール））に導出される表示結果の組み合わせは、前記複数の可変表示領域のうち第１の可変表示領域（中リール）の表示結果が特定表示結果（中段に「ＢＡＲ」が停止する停止態様）以外の表示結果でありかつ第２の可変表示領域（右リール）の表示結果が特殊表示結果（中段に「ＢＡＲ」が停止する停止態様）以外の表示結果でありかつ第３の可変表示領域（左リール）が所定表示結果（「チェリー」が下段に停止する停止態様）である第１の組み合わせ（弱チェリー目）と、前記複数の可変表示領域のうち前記第１の可変表示領域（中リール）表示結果が前記特定表示結果（中段に「ＢＡＲ」が停止する停止態様）であるかまたは前記第２の可変表示領域（右リール）の表示結果が前記特殊表示結果（中段に「ＢＡＲ」が停止する停止態様）であるかの一方でありかつ第３の可変表示領域（左リール）が前記所定表示結果（「チェリー」が下段に停止する停止態様）である組み合わせであり、前記第１の組み合わせ（弱チェリー目）よりも遊技者にとって有利な状況（特別役が当選している状況、ナビストックが当選している状況、ＡＲＴのゲーム数の上乗せが当選している状況等）である可能性が高い旨が示唆される第２の組み合わせ（強チェリー）と、を含み、
前記導出制御手段は、
前記事前決定手段の決定結果が前記第１の組み合わせ（弱チェリー目）及び前記第２の組み合わせ（強チェリー目）のうち前記第１の組み合わせ（弱チェリー目）のみ導出することが許容される第１の特定結果（弱チェリー）であり、前記複数の可変表示領域のうち前記第１の可変表示領域（中リール）及び前記第２の可変表示領域（右リール）に未だ表示結果が導出されておらず、前記複数の可変表示領域のうち前記第３の可変表示領域（左リール）に前記所定表示結果（「チェリー」が下段に停止する停止態様）が導出されている状況において前記第１の可変表示領域（中リール）に対応する導出操作手段（ストップスイッチ８Ｃ）が操作されたときに、前記第３の可変表示領域（左リール）に前記所定表示結果（「チェリー」が下段に停止する停止態様）を導出させる際に該第３の可変表示領域（左リール）に対応する導出操作手段（ストップスイッチ８Ｌ）が操作されたタイミングに関わらず、前記第１の可変表示領域（中リール）に前記特定表示結果（中段に「ＢＡＲ」が停止する停止態様）以外の表示結果を導出させる制御を行い、前記事前決定手段の決定結果が前記第１の特定結果（弱チェリー）であり、前記複数の可変表示領域のうち前記第３の可変表示領域（左リール）に前記所定表示結果（「チェリー」が下段に停止する停止態様）が導出され前記第１の可変表示領域（中リール）に前記特定表示結果（中段に「ＢＡＲ」が停止する停止態様）以外の表示結果が導出され前記第２の可変表示領域（中リール）に未だ表示結果が導出されていない状況において前記第２の可変表示領域（右リール）に対応する導出操作手段（ストップスイッチ８Ｒ）が操作されたときに、該導出操作手段（ストップスイッチ８Ｒ）が操作されたタイミングに関わらず、前記第２の可変表示領域（右リール）に前記特殊表示結果（中段に「ＢＡＲ」が停止する停止態様）以外の表示結果を導出させる制御を行う第１の特定結果導出制御手段（変形例２における弱チェリー当選時のリール停止制御）と、
前記事前決定手段の決定結果が前記第１の組み合わせ（弱チェリー目）及び前記第２の組み合わせ（強チェリー目）のうち少なくとも前記第２の組み合わせ（強チェリー目）を導出することが許容される第２の特定結果（強チェリー）であり、前記複数の可変表示領域のうち前記第１の可変表示領域（中リール）及び前記第２の可変表示領域（右リール）に未だ表示結果が導出されておらず、前記複数の可変表示領域のうち前記第３の可変表示領域（左リール）に前記所定表示結果（「チェリー」が下段に停止する停止態様）が導出されている状況において前記第１の可変表示領域（中リール）に対応する導出操作手段（ストップスイッチ８Ｃ）が操作されたときに、前記第３の可変表示領域（左リール）に前記所定表示結果（「チェリー」が下段に停止する停止態様）を導出させる際に該第３の可変表示領域（左リール）に対応する導出操作手段（ストップスイッチ８Ｌ）が操作されたタイミングが特定のタイミング（６番または１０番）であるときには前記第１の可変表示領域（中リール）に前記特定表示結果（中段に「ＢＡＲ」が停止する停止態様）を導出させる制御を行い、前記第３の可変表示領域（左リール）に前記所定表示結果（「チェリー」が下段に停止する停止態様）を導出させる際に該第３の可変表示領域（左リール）に対応する導出操作手段（ストップスイッチ８Ｌ）が操作されたタイミングが前記特定のタイミング（６番または１０番）以外のタイミングであるときには前記第１の可変表示領域（中リール）に前記特定表示結果（中段に「ＢＡＲ」が停止する停止態様）以外の表示結果を導出させる制御を行い、前記事前決定手段の決定結果が前記第２の特定結果（強チェリー）であり、前記複数の可変表示領域のうち前記第３の可変表示領域（左リール）に前記所定表示結果（「チェリー」が下段に停止する停止態様）が導出され前記第１の可変表示領域（中リール）に前記特定表示結果（中段に「ＢＡＲ」が停止する停止態様）以外の表示結果が導出され前記第２の可変表示領域（中リール）に未だ表示結果が導出されていない状況において前記第２の可変表示領域（右リール）に対応する導出操作手段（ストップスイッチ８Ｒ）が操作されたときに、前記第２の可変表示領域（右リール）に前記特殊表示結果（中段に「ＢＡＲ」が停止する停止態様）を導出可能な制御を行う第２の特定結果導出制御手段（変形例２における強チェリー当選時のリール停止制御）と、
を含む
ことを特徴としている。
この特徴によれば、複数の可変表示領域のうち第１の可変表示領域及び第２の可変表示領域に未だ表示結果が導出されておらず、複数の可変表示領域のうち第３の可変表示領域に所定表示結果が導出されている状況において第１の可変表示領域に対応する導出操作手段が操作され、第１の可変表示領域に特定表示結果が導出されることで第２の組み合わせとなり、第１の組み合わせよりも遊技者にとって有利な状況である可能性が高い旨が示唆される。また、複数の可変表示領域のうち第１の可変表示領域及び第２の可変表示領域に未だ表示結果が導出されておらず、複数の可変表示領域のうち第３の可変表示領域に所定表示結果が導出されている状況において第１の可変表示領域に対応する導出操作手段が操作され、第１の可変表示領域に特定表示結果が導出されなかった場合でも、その後、第２の可変表示領域に特殊表示結果が導出されることで第２の組み合わせとなり、第１の組み合わせよりも遊技者にとって有利な状況である可能性が高い旨が示唆されるので、第１の可変表示領域に特定表示結果が導出されなかった場合でも、その後、第２の可変表示領域に表示結果が導出されるまで、第２の組み合わせとなることへの期待感を持続させることができる。
尚、複数の可変表示領域は少なくとも第１の可変表示領域、第２の可変表示領域及び第３の可変表示領域を含む構成であれば良く、第１の可変表示領域、第２の可変表示領域及び第３の可変表示領域のみからなる構成でも良いし、第１の可変表示領域、第２の可変表示領域及び第３の可変表示領域以外の可変表示領域を含む構成でも良い。
また、第２の特定結果導出制御手段が、前記第２の可変表示領域に前記特殊表示結果を導出可能な制御を行うとは、該第２の可変表示領域に対応する導出操作手段が操作されたタイミングに関わらず前記特殊表示結果を導出させる制御を行う構成でも良いし、該第２の可変表示領域に対応する導出操作手段が操作されたタイミングが所定条件を満たすタイミングで操作されたときに前記特殊表示結果を導出させる制御を行う構成でも良い。